(57)【特許請求の範囲】
【請求項１】
車両に搭載されて、
前記車両の側方の障害物を逐次検出する障害物センサ（２ａ、２ｂ）で検出した障害物が移動物体か静止物体かを判別する判別部（１６）を備える車載用物体判別装置であって、
前記障害物センサは、前記車両の側方に広がる検出範囲が前記車両の進行方向に沿って前後に並ぶ、進行方向前側の第１障害物センサ（２ａ）と進行方向後側の第２障害物センサ（２ｂ）であり、
前記第１障害物センサで検出した前記障害物の前記車両に対する位置である第１障害物位置を特定する第１障害物位置特定部（１１）と、
前記第２障害物センサで検出した前記障害物の前記車両に対する位置である第２障害物位置を特定する第２障害物位置特定部（１２）と、
前記第１障害物位置特定部で逐次特定した前記第１障害物位置の前記車両の車幅方向の位置差分をもとに、前記車幅方向の位置が異なる障害物単位で前記第１障害物位置を区分する区分処理部（１４）と、
前記区分処理部で前記第１障害物位置を複数の障害物単位に区分できた場合、前記第２障害物位置特定部で特定する前記第２障害物位置と前記車幅方向の位置が近似する前記第１障害物位置が前記区分処理部で区分されている前記障害物を、前記判別部で移動物体か静止物体かを判別する対象障害物として選択する選択部（１５）と、
前記対象障害物を前記第１障害物センサで検出してから、前記第２障害物位置特定部で前記第２障害物位置を特定した障害物を前記第２障害物センサで検出するまでに生じていた前記車両の位置の変化を特定する車両位置変化特定部（１３）とを備え、
前記車両位置変化特定部は、前記対象障害物を前記第１障害物センサで検出してから、前記第２障害物位置特定部で前記第２障害物位置を特定した障害物を前記第２障害物センサで検出するまでの前記車両の走行距離と操舵角の変化とから、前記車両の位置の変化を特定し、
前記判別部は、前記第２障害物位置特定部で特定した前記第２障害物位置から、前記対象障害物に区分されている前記第１障害物位置へのずれが、前記車両位置変化特定部で特定した前記車両の位置の変化分のずれに一致する場合にその対象障害物を静止物体と判別する一方、一致しない場合にはその対象障害物を移動物体と判別することを特徴とする車載用物体判別装置。
【請求項２】
請求項１において、
前記第１障害物センサ及び前記第２障害物センサは超音波センサであることを特徴とする車載用物体判別装置。
【発明の詳細な説明】
【技術分野】
【０００１】
本発明は、自車側方の物体が静止物体か移動物体かを判別する車載用物体判別装置に関するものである。
【背景技術】
【０００２】
従来、レーザレーダや超音波センサ等の障害物センサを用いて検出した障害物が静止物体か移動物体かを判別する技術が知られている。
【０００３】
例えば、特許文献１には、超音波センサを用いて自車側方の物体が移動物体か静止物体かを判別する車載用物体判別装置が開示されている。特許文献１に開示の車載用物体判別装置では、自車側面の前側に配列された基準超音波センサから、自車の移動に伴って逐次得られる自車側方の障害物の測距データの波形を得る。また、自車側面の後側に配列された対象超音波センサから、自車の移動に伴って逐次得られる自車側方の障害物の測距データの波形も得る。続いて、基準超音波センサから得られた測距データの波形を、基準超音波センサから対象超音波センサまでの距離と自車の車速とに基づき算出される所定時間分だけ移動させたものと、対象超音波センサから得られた測距データの波形とを照合する。そして、照合結果におけるずれがある場合には、検出した障害物を移動物体と判別し、ずれのない場合には、検出した障害物を静止物体と判別する。
【先行技術文献】
【特許文献】
【０００４】
【特許文献１】特開２０１３−２０４５８号公報
【発明の概要】
【発明が解決しようとする課題】
【０００５】
しかしながら、特許文献１に開示の車載用物体判別装置は、車幅方向に並んだ複数の障害物の個々について、移動物体か静止物体かを判別するのが困難という問題を有していた。詳しくは、以下の通りである。
【０００６】
自車から見て車幅方向に複数の障害物が並ぶ状態にある場合、超音波センサから逐次得られる測距データの波形は、これらの複数の障害物についての測距データが合わさった波形となる。ここで、これらの複数の障害物に移動物体が含まれる場合、波形のずれから移動物体が存在することは判別できるものの、波形のずれの有無だけでは、移動物体が複数なのか移動物体と静止物体とが存在するのかを判別することは困難である。
【０００７】
さらに、特許文献１に開示の車載用物体判別装置は、自車が加減速や旋回を行った場合、超音波センサを用いて検出した障害物が移動物体か静止物体かを誤判別しやすいという問題を有していた。詳しくは、以下の通りである。
【０００８】
自車が定速で直進しており、障害物が静止している場合には、超音波センサから逐次得られる測距データの波形は、基準超音波センサと対象超音波センサとで一致する。しかしながら、自車が加減速や旋回を行っており、障害物が静止している場合には、基準超音波センサで逐次得られる測距データの波形と、対象超音波センサで逐次得られる測距データの波形とに異なるゆがみが生じる。よって、障害物が静止している場合であっても、照合結果にずれが生じ、静止した障害物を移動物体と誤判別してしまう場合がある。
【０００９】
本発明は、上記従来の問題点に鑑みなされたものであって、その目的は、車幅方向に並んだ複数の障害物の個々について、移動物体か静止物体かをより正確に判別することを可能にする車載用物体判別装置を提供することにある。
【課題を解決するための手段】
【００１０】
本発明の車載用物体判別装置は、車両に搭載されて、車両の側方の障害物を逐次検出する障害物センサ（２ａ、２ｂ）で検出した障害物が移動物体か静止物体かを判別する判別部（１６）を備える車載用物体判別装置であって、障害物センサは、車両の側方に広がる検出範囲が車両の進行方向に沿って前後に並ぶ、進行方向前側の第１障害物センサ（２ａ）と進行方向後側の第２障害物センサ（２ｂ）であり、第１障害物センサで検出した障害物の車両に対する位置である第１障害物位置を特定する第１障害物位置特定部（１１）と、第２障害物センサで検出した障害物の車両に対する位置である第２障害物位置を特定する第２障害物位置特定部（１２）と、第１障害物位置特定部で逐次特定した第１障害物位置の車両の車幅方向の位置差分をもとに、車幅方向の位置が異なる障害物単位で第１障害物位置を区分する区分処理部（１４）と、区分処理部で第１障害物位置を複数の障害物単位に区分できた場合、第２障害物位置特定部で特定する第２障害物位置と車幅方向の位置が近似する第１障害物位置が区分処理部で区分されている障害物を、判別部で移動物体か静止物体かを判別する対象障害物として選択する選択部（１５）と、対象障害物を第１障害物センサで検出してから、第２障害物位置特定部で第２障害物位置を特定した障害物を第２障害物センサで検出するまでに生じていた車両の位置の変化を特定する車両位置変化特定部（１３）とを備え、車両位置変化特定部は、対象障害物を第１障害物センサで検出してから、第２障害物位置特定部で第２障害物位置を特定した障害物を第２障害物センサで検出するまでの車両の走行距離と操舵角の変化とから、車両の位置の変化を特定し、判別部は、第２障害物位置特定部で特定した第２障害物位置から、対象障害物に区分されている第１障害物位置へのずれが、車両位置変化特定部で特定した車両の位置の変化分のずれに一致する場合にその対象障害物を静止物体と判別する一方、一致しない場合にはその対象障害物を移動物体と判別することを特徴としている。
【００１１】
進行方向前側の第１障害物センサで検出した障害物を、進行方向後側の第２障害物センサでも検出する場合、その障害物の車両に対する位置は、その障害物が静止物体であるなら、第１障害物センサで障害物を検出してから第２障害物センサでその障害物を検出するまでの車両の位置の変化に応じた分だけしか移動していない筈である。一方、その障害物が移動物体であるなら、第１障害物センサで障害物を検出してから第２障害物センサでその障害物を検出するまでの車両の位置の変化に応じた分に加えて、その障害物が移動した分も、その障害物の車両に対する位置が移動している筈である。
【００１２】
また、障害物が静止している場合、第１障害物センサで検出した障害物の車両に対する位置と、第２障害物センサで検出した障害物の車両に対する位置とには、車両が加減速や旋回を行っていた場合であっても、第１障害物センサで障害物を検出してから第２障害物センサで障害物を検出するまでの車両の位置の変化に応じた分以外のずれは生じない。
【００１３】
よって、第２障害物位置特定部で特定した第２障害物位置から第１障害物位置特定部で特定した第１障害物位置へのずれが、車両位置変化特定部で特定した車両の位置の変化分のずれに一致する場合に障害物を静止物体と判別することで、障害物が静止物体であることをより正確に判別することが可能になる。一方、一致しない場合に障害物を移動物体と判別することで、障害物が移動物体であることも、より正確に判別することが可能になる。
【００１４】
また、本発明の車載用物体判別装置では、第１障害物位置特定部で特定した第１障害物位置を車幅方向の位置が異なる障害物単位に区分処理部で区分できた場合に、第２障害物位置特定部で特定する第２障害物位置と車幅方向の位置が近似する第１障害物位置が区分されている障害物を対象障害物とし、その第２障害物位置とその対象障害物に区分されている第１障害物位置とのずれが、車両位置変化特定部で特定した車両の位置の変化分のずれに一致するか否かによって、対象障害物が静止物体か移動物体かを判別することになる。よって、車幅方向の位置が近似する第２障害物位置と第１障害物位置との組み合わせ同士で、対象障害物が静止物体か移動物体かを判別することができるので、車幅方向に並んだ複数の障害物について、個別に静止物体か移動物体かを判別することが可能になる。その結果、車幅方向に並んだ複数の障害物の個々について、移動物体か静止物体かをより正確に判別することが可能になる。
【図面の簡単な説明】
【００１５】
【図１】運転支援システム１００の概略的な構成を示すブロック図である。
【図２】第１超音波センサ２ａと第２超音波センサ２ｂとの検出範囲の一例を説明するための模式図である。
【図３】物体判別装置１での区分関連処理の流れの一例を示すフローチャートである。
【図４】物体判別装置１での物体判別処理の流れの一例を示すフローチャートである。
【図５】個別の障害物について静止物体か移動物体かを判別できることについて説明するための模式図である。
【発明を実施するための形態】
【００１６】
以下、本発明の実施形態について図面を用いて説明する。
【００１７】
（実施形態１）
＜運転支援システム１００の概略構成＞
図１は、本発明が適用された運転支援システム１００の概略的な構成の一例を示す図である。運転支援システム１００は、車両に搭載されるものであり、図１に示すように物体判別装置１、第１超音波センサ２ａ、第２超音波センサ２ｂ、車輪速センサ３、及び舵角センサ４を含んでいる。運転支援システム１００を搭載している車両を以降では自車と呼ぶ。
【００１８】
第１超音波センサ２ａは、自車前部の側面に搭載され、自車前部の側方に存在する障害物を検出する。第２超音波センサ２ｂは、自車後部の側面に搭載され、自車後部の側方に存在する障害物を検出する。
【００１９】
なお、第１超音波センサ２ａ及び第２超音波センサ２ｂは、自車の左右側面に配置される構成としてもよいし、自車の左側面に配置される構成としてもよいし、自車の右側面に配置される構成としてもよいが、本実施形態では、自車の右側面に配置されるものとして以降の説明を続ける。
【００２０】
第１超音波センサ２ａ及び第２超音波センサ２ｂは、探査波を送信し、障害物で反射されるその探査波の反射波を受信することで障害物までの距離を検出する。また、第１超音波センサ２ａ及び第２超音波センサ２ｂは、指向性の中心線が自車の車軸方向と例えば平行になるように配置される。
【００２１】
本実施形態の例では、図２に示すように第１超音波センサ２ａは、自車（図２のＨＶ参照）前部の右側面に搭載され、第２超音波センサ２ｂは、自車後部の右側面に搭載されるので、第１超音波センサ２ａの検出範囲（図２のＳＡａ参照）と第２超音波センサ２ｂの検出範囲（図２のＳＡｂ参照）とは、自車の前後方向に沿って、自車の右側方に前後に並ぶ。
【００２２】
車輪速センサ３は、各転動輪の回転速度に応じたパルス信号を逐次出力する。舵角センサ４は、自車のステアリングの操舵角を検出するセンサであり、自車が直進状態で走行するときの操舵角を中立位置（０度）とし、その中立位置からの回転角度を操舵角として逐次出力する。
【００２３】
物体判別装置１は、主にマイクロコンピュータとして構成され、いずれも周知のＣＰＵ、ＲＯＭやＲＡＭ等のメモリ、Ｉ／Ｏ、及びこれらを接続するバスによって構成される。物体判別装置１は、第１超音波センサ２ａ、第２超音波センサ２ｂ、車輪速センサ３、舵角センサ４などから入力された各種情報に基づき、後述の区分関連処理や物体判別処理等の各種処理を実行する。この物体判別装置が請求項の車載用物体判別装置に相当する。
【００２４】
なお、物体判別装置１が実行する機能の一部又は全部を、一つ或いは複数のＩＣ等によりハードウェア的に構成してもよい。
【００２５】
＜物体判別装置１の詳細構成＞
図１に示すように、物体判別装置１は、第１障害物位置特定部１１、第２障害物位置特定部１２、車両位置変化特定部１３、区分処理部１４、選択部１５、及び判別部１６を備える。
【００２６】
第１障害物位置特定部１１は、第１超音波センサ２ａの探査波の送信方向及び第１超音波センサ２ａの信号から、自車右側方に存在する障害物の自車に対する位置（以下、第１障害物位置）を特定する。より詳しくは、障害物のうちの第１超音波センサ２ａの探査波を反射した反射点の自車に対する位置を特定する。
【００２７】
一例として、反射波の得られた探査波を送信した方向から、自車に対する障害物の方位を検出し、探査波を送信してから反射波を受信するまでの時間から自車から障害物までの距離を検出することで、第１超音波センサ２ａの設置位置に対する障害物の位置を特定する。そして、特定した第１超音波センサ２ａの設置位置に対する障害物の位置と、自車における第１超音波センサ２ａの設置位置とから、自車位置を原点としたＸＹ座標系での障害物位置を特定する。このＸＹ座標系は、Ｘ軸とＹ軸とを水平面内にとっているものとし、例えば自車位置は後輪車軸中心位置とする。
【００２８】
第２障害物位置特定部１２は、第２超音波センサ２ｂの探査波の送信方向及び第２超音波センサ２ｂの信号から、第１障害物位置特定部１１と同様にして、自車右側方に存在する障害物の自車に対する位置（以下、第２障害物位置）を特定する。より詳しくは、障害物のうちの第２超音波センサ２ｂの探査波を反射した反射点の自車に対する位置を特定する。
【００２９】
車両位置変化特定部１３は、車輪速センサ３のパルス信号から求められる自車の走行距離と、舵角センサ４で逐次検出される自車の操舵角の変化とから、自車の位置の変化を特定する。
【００３０】
また、第１障害物位置特定部１１及び第２障害物位置特定部１２は、新たに障害物位置を特定するごとに、車両位置変化特定部１３で特定される自車位置の変化に合わせ、過去に特定した障害物位置の前述のＸＹ座標系での位置を逐次更新する構成とすればよい。
【００３１】
区分処理部１４は、第１障害物位置特定部１１で逐次特定した第１障害物位置の自車の車幅方向の位置差分をもとに、車幅方向の位置が異なる障害物単位で第１障害物位置を区分する。一例として、車幅方向の位置差分が所定値以上の第１障害物位置同士をそれぞれ別の障害物に区分する一方、車幅方向の位置差分が所定値未満の第１障害物位置同士をそれぞれ同一の障害物に区分する。
【００３２】
区分処理部１４で区分した第１障害物位置は、例えば、物体判別装置１のＲＡＭ等のメモリに、区分した障害物ごとに対応付けて記憶すればよい。この場合、第１障害物位置を特定した時刻を示すタイムスタンプも対応付けて記憶すればよい。なお、選択部１５及び判別部１６については、後の物体判別処理の説明時に詳述する。
【００３３】
＜区分関連処理＞
ここで、図３のフローチャートを用いて、物体判別装置１での区分関連処理の一例について説明を行う。図３のフローチャートでは、自車が前進する場合を例に挙げて説明を行う。自車が前進するか後退するかは、シフトポジションセンサの信号から特定すればよい。なお、自車が前進する場合には、自車の側方に存在する障害物を、第１超音波センサ２ａが第２超音波センサ２ｂよりも先に検出することになる。
【００３４】
区分関連処理は、第１超音波センサ２ａで逐次検出する障害物の障害物位置の車幅方向の位置差分をもとに、車幅方向の位置が異なる障害物単位で第１障害物位置を区分する処理である。図３のフローチャートは、例えば自車のイグニッション電源がオンになったときに開始される構成とすればよい。
【００３５】
まず、ステップＳ１では、第１超音波センサ２ａで障害物を検出し、第１超音波センサ２ａからの信号を第１障害物位置特定部１１が受けた場合（Ｓ１でＹＥＳ）には、ステップＳ２に移る。一方、第１超音波センサ２ａで障害物を検出しておらず、第１超音波センサ２ａからの信号を第１障害物位置特定部１１が受けていない場合（Ｓ１でＮＯ）には、ステップＳ４に移る。
【００３６】
ステップＳ２では、第１障害物位置特定部１１が、第１超音波センサ２ａの探査波の送信方向及び第１超音波センサ２ａの信号から、自車右側方に存在する障害物の自車に対する位置（つまり、前述の第１障害物位置）を特定する。より詳しくは、障害物のうちの第１超音波センサ２ａの探査波を反射した反射点の自車位置に対する相対位置を第１障害物位置として特定する。この第１超音波センサ２ａが請求項の第１障害物センサに相当する。
【００３７】
Ｓ２では、図３のフローチャートが複数回繰り返され、既に第１障害物位置を過去に特定済みの場合には、新たに第１障害物位置を特定するごとに、車両位置変化特定部１３で特定される自車位置の変化に合わせ、過去に特定した第１障害物位置の前述のＸＹ座標系での位置を逐次更新する。これにより、前述のＸＹ座標系において、古い第１障害物位置からより新しい第１障害物位置の順に、第１障害物位置が自車の進行方向に向けて並ぶことになる。
【００３８】
ステップＳ３では、区分処理部１４が、第１障害物位置特定部１１で逐次特定した第１障害物位置の自車の車幅方向の位置差分をもとに、車幅方向の位置が異なる障害物単位で第１障害物位置を区分する区分処理を行う。
【００３９】
区分処理では、図３のフローチャートが複数回繰り返されるまでは、特定済みの第１障害物位置は１つだけなので、第１障害物位置が区分される障害物は１つしかない。しかしながら、図３のフローチャートが複数回繰り返され、車幅方向の位置差分が所定値以上の第１障害物位置が得られた場合には、車幅方向の位置差分によって第１障害物位置が複数の障害物に区分される。
【００４０】
ステップＳ４では、区分関連処理の終了タイミングであった場合（ステップＳ４でＹＥＳ）には、区分関連処理を終了する。一方、区分関連処理の終了タイミングでなかった場合（ステップＳ４でＮＯ）には、Ｓ１に戻って処理を繰り返す。区分関連処理の終了タイミングとしては、例えば自車のイグニッション電源がオフになったときなどがある。
【００４１】
＜物体判別処理＞
続いて、図４のフローチャートを用いて、物体判別装置１での物体判別処理の一例について説明を行う。物体判別処理は、第１超音波センサ２ａ及び第２超音波センサ２ｂで検出した障害物が移動物体か静止物体かを判別する処理である。図４のフローチャートは、例えば自車のイグニッション電源がオンになったときに開始される構成とすればよい。図４のフローチャートでも、自車が前進する場合を例に挙げて説明を行う。
【００４２】
まず、ステップＳ２１では、第１超音波センサ２ａで障害物を検出し、第１超音波センサ２ａからの信号を第１障害物位置特定部１１が受けた場合（Ｓ２１でＹＥＳ）には、ステップＳ２に移る。一方、第１超音波センサ２ａで障害物を検出しておらず、第１超音波センサ２ａからの信号を第１障害物位置特定部１１が受けていない場合（Ｓ２１でＮＯ）には、ステップＳ３３に移る。
【００４３】
ステップＳ２２では、前述の区分関連処理が開始され、第１超音波センサ２ａで障害物を逐次検出するごとに第１障害物位置特定部１１が第１障害物位置を逐次特定し、自車の車幅方向の位置差分をもとに、車幅方向の位置が異なる障害物単位で第１障害物位置を区分していく。
【００４４】
ステップＳ２３では、第２超音波センサ２ｂで障害物を検出し、第２超音波センサ２ｂからの信号を第２障害物位置特定部１２が受けた場合（Ｓ２３でＹＥＳ）には、ステップＳ２４に移る。一方、第２超音波センサ２ｂで障害物を検出しておらず、第２超音波センサ２ｂからの信号を第２障害物位置特定部１２が受けていない場合（Ｓ２３でＮＯ）には、ステップＳ３２に移る。
【００４５】
ステップＳ２４では、第２障害物位置特定部１２が、第２超音波センサ２ｂの探査波の送信方向及び第２超音波センサ２ｂの信号から、自車右側方に存在する障害物の自車に対する位置（つまり、前述の第２障害物位置）を特定する。より詳しくは、障害物のうちの第２超音波センサ２ｂの探査波を反射した反射点の自車位置に対する相対位置を第２障害物位置として特定する。この第２超音波センサ２ｂが請求項の第２障害物センサに相当する。
【００４６】
ステップＳ２５では、Ｓ２４で特定した第２障害物位置と自車の車幅方向の位置が近似する第１障害物位置が、前述の区分関連処理によって区分されている障害物を、移動物体か静止物体かを判別する対象障害物として選択部１５が選択する。つまり、区分関連処理で第１障害物位置が複数の障害物単位に区分できている場合、Ｓ２４で特定した第２障害物位置と自車の車幅方向の位置が近似する第１障害物位置が区分されている障害物を対象障害物として選択部１５が選択する。
【００４７】
ここで言うところの近似とは、自車の車幅方向の位置差分が所定値未満であることであってもよいし、第２障害物位置と自車の車幅方向の位置が最も近いことであってもよい。なお、区分関連処理によって１つの障害物にしか第１障害物位置が特定されていない場合には、その障害物を対象障害物として選択部１５が選択する構成とすればよい。
【００４８】
ステップＳ２６では、車両位置変化特定部１３が、車輪速センサ３のパルス信号から求められる自車の走行距離と、舵角センサ４で逐次検出される自車の操舵角の変化とから、Ｓ２５で選択した対象障害物を第１超音波センサ２ａで検出してから、Ｓ２４で第２障害物位置を特定した障害物を第２超音波センサ２ｂで検出するまでの自車位置の変化を特定する。
【００４９】
一例としては、車輪速センサ３から逐次求められる走行距離の履歴や舵角センサ４で逐次検出される操舵角の履歴をもとに特定すればよい。また、対象障害物を第１超音波センサ２ａで検出したタイミングは、対象障害物に区分されている第１障害物位置のうちの最も古い第１障害物位置にあたる反射点を第１超音波センサ２ａで検出したタイミングとすればよい。なお、自車位置の変化は、自車位置を原点としたＸＹ座標系での座標の変化量として表せばよい。
【００５０】
ステップＳ２７では、判別部１６が、Ｓ２４で特定した第２障害物位置からＳ２５で選択した対象障害物に区分されている第１障害物位置へのずれが、Ｓ２６で特定した自車位置の変化分のずれと一致するか否かを判定する。ここで言うところの一致とは、完全に一致する場合に一致と判定する構成に限らず、誤差程度の許容範囲をもって一致と判定する構成としてもよい。また、判定に用いる第１障害物位置としては、例えば対象障害物に区分されている第１障害物位置のうちの最も古い第１障害物位置とすればよい。
【００５１】
なお、判別部１６は、Ｓ２５で選択した対象障害物に区分されている第１障害物位置を、Ｓ２６で特定した自車位置の変化の逆方向の変化分だけ移動させた位置と、Ｓ２４で特定した第２障害物位置とが一致するか否かを判定する構成としてもよい。他にも、Ｓ２４で特定した第２障害物位置を、Ｓ２６で特定した自車位置の変化分だけ移動させた位置と、Ｓ２５で選択した対象障害物に区分されている第１障害物位置とが一致するか否かを判定する構成としてもよい。
【００５２】
そして、ステップＳ２８では、Ｓ２７での判定の結果、一致すると判定した場合（Ｓ２８でＹＥＳ）には、ステップＳ２９に移る。一方、一致しないと判定した場合（Ｓ２８でＮＯ）には、ステップＳ３０に移る。
【００５３】
ステップＳ２９では、Ｓ２５で選択した対象障害物を静止物体と判別し、ステップＳ３１に移る。一方、ステップＳ３０では、Ｓ２５で選択した対象障害物を移動物体と判別し、ステップＳ３１に移る。
【００５４】
ここで、図５を用いて、Ｓ２４で特定した第２障害物位置からＳ２５で選択した対象障害物に区分されている第１障害物位置へのずれが、Ｓ２６で特定した自車位置の変化分のずれと一致するか否かによって、個別の障害物について静止物体か移動物体かを判別できることについて説明を行う。
【００５５】
図５のＨＶが自車、ＨＶＰが自車位置、Ｏｂ１が静止障害物、Ｏｂ２が移動障害物としての他車、ＯＶＰが他車位置、Ｐａ１〜Ｐａ３が第１障害物位置、Ｐｂ１及びＰｂ２が第２障害物位置を示している。静止障害物Ｏｂ１と他車Ｏｂ２とは自車ＨＶの車幅方向に並んでいるものとする。Ｐａ１がＯｂ１についての第１障害物位置、Ｐａ２及びＰａ３がＯｂ２についての第１障害物位置、Ｐｂ１がＯｂ２についての第２障害物位置、Ｐｂ２がＯｂ１についての第２障害物位置である。また、Ａが自車位置の変化分のずれ、Ｂが他車位置の変化分のずれ、Ｃが第２障害物位置Ｐｂ２から第１障害物位置Ｐａ１へのずれを示しており、Ｄが第２障害物位置Ｐｂ１から第１障害物位置Ｐａ２へのずれを示している。
【００５６】
自車ＨＶ側面の進行方向前側に配置された第１超音波センサ２ａで静止障害物Ｏｂ１と他車Ｏｂ２とを検出する場合、静止障害物Ｏｂ１についての第１障害物位置Ｐａ１と、他車Ｏｂ２についての第１障害物位置Ｐａ２及びＰａ３とが特定されることになる。ここで、実施形態１の区分関連処理によれば、車幅方向の位置が異なる障害物単位で第１障害物位置を区分するので、静止障害物Ｏｂ１についての第１障害物位置Ｐａ１と、他車Ｏｂ２についての第１障害物位置Ｐａ２及びＰａ３とがそれぞれ別個に区分される。
【００５７】
また、静止障害物Ｏｂ１を自車ＨＶ側面の進行方向後側に配置された第２超音波センサ２ｂでも検出する場合、静止障害物Ｏｂ１に対して、第１障害物位置Ｐａ１と第２障害物位置Ｐｂ２とが特定されることになる。他車Ｏｂ２を自車ＨＶ側面の進行方向後側に配置された第２超音波センサ２ｂでも検出する場合には、他車Ｏｂ２に対して、第１障害物位置Ｐａ２及びＰａ３と第２障害物位置Ｐｂ１とが特定されることになる。
【００５８】
第１障害物位置は、第１超音波センサ２ａで障害物を検出したときの自車位置に対する障害物の相対位置であり、第２障害物位置は、第２超音波センサ２ｂで障害物を検出したときの自車位置に対する障害物の相対位置である。よって、自車に対する障害物の相対位置は、障害物が静止物体であるなら、第１超音波センサ２ａで障害物を検出してから第２超音波センサ２ｂでその障害物を検出するまでの自車位置の変化に応じた分だけしか移動していない筈である。
【００５９】
従って、静止障害物Ｏｂ１については、第２障害物位置Ｐｂ２から第１障害物位置Ｐａ１へのずれＣが、第１超音波センサ２ａで静止障害物Ｏｂ１を検出してから第２超音波センサ２ｂで静止障害物Ｏｂ１を検出するまでの自車位置の変化に応じた分のずれＡに一致する筈である。
【００６０】
一方、障害物が移動物体であるなら、第１超音波センサ２ａで障害物を検出してから第２超音波センサ２ｂで障害物を検出するまでの自車位置の変化に応じた分に加えて、その障害物が移動した分も、自車に対する障害物の相対位置が移動している筈である。
【００６１】
従って、他車Ｏｂ２については、第２障害物位置Ｐｂ１から第１障害物位置Ｐａ２へのずれＤが、第１超音波センサ２ａで静止障害物Ｏｂ１を検出してから第２超音波センサ２ｂで静止障害物Ｏｂ１を検出するまでの自車位置の変化に応じた分のずれＡと、他車Ｏｂ２の位置の変化に応じた分のずれＢとを足し合わせたものと一致する筈である。よって、第２障害物位置Ｐｂ１から第１障害物位置Ｐａ２へのずれＤは、第１超音波センサ２ａで静止障害物Ｏｂ１を検出してから第２超音波センサ２ｂで静止障害物Ｏｂ１を検出するまでの自車位置の変化に応じた分のずれＡに一致しない筈である。
【００６２】
第１超音波センサ２ａで障害物を検出してから第２超音波センサ２ｂでその障害物を検出するまでの自車位置の変化に応じた分のずれと比較するのは、同一の障害物についての第２障害物位置から第１障害物位置へのずれでなければならない。これに対して実施形態１では、Ｓ２５の選択部１５での処理によって、車幅方向の位置が近似する第２障害物位置と第１障害物位置とを、前述のずれの比較対象として用いることを可能にする。
【００６３】
よって、以上から、Ｓ２４で特定した第２障害物位置からＳ２５で選択した対象障害物に区分されている第１障害物位置へのずれが、Ｓ２６で特定した自車位置の変化分のずれと一致するか否かによって、個別の障害物について静止物体か移動物体かを判別できる。
【００６４】
図４に戻って、ステップＳ３１では、第２超音波センサ２ｂでの検出が一旦終了した場合（Ｓ３１でＹＥＳ）には、ステップＳ３３に移る。一例として、Ｓ２２で開始した区分関連処理において特定した直近の第１障害物位置を、車両位置変化特定部１３で特定した自車位置の変化の逆方向の変化分だけ移動させた位置が、第２超音波センサ２ｂの検出範囲を越えており、障害物を検出できなかった場合に、第２超音波センサ２ｂでの検出が一旦終了したものとすればよい。一方、第２超音波センサ２ｂでの検出が終了していない場合（Ｓ３１でＮＯ）には、Ｓ２３に戻って処理を繰り返す。なお、第２超音波センサ２ｂで一定期間障害物を検出しなかった場合に、第２超音波センサ２ｂでの検出が一旦終了したものとしてもよい。
【００６５】
また、第２超音波センサ２ｂで障害物を検出していない場合のステップＳ３２では、第２超音波センサ２ｂで障害物を検出できない非検出が確定した場合（Ｓ３２でＹＥＳ）には、障害物が移動により自車周辺からいなくなったものとして扱い、ステップＳ３３に移る。一例として、Ｓ２１で検出した障害物について第１障害物位置特定部１１で特定した第１障害物位置を、車両位置変化特定部１３で特定した自車位置の変化の逆方向の変化分だけ移動させた位置が、第２超音波センサ２ｂの検出範囲に入ったにも関わらず、障害物を検出できなかった場合に、非検出を確定すればよい。一方、非検出が確定していない場合（Ｓ３２でＮＯ）には、Ｓ２３に戻って処理を繰り返す。
【００６６】
ステップＳ３３では、物体判別処理の終了タイミングであった場合（ステップＳ３３でＹＥＳ）には、物体判別処理を終了する。一方、物体判別処理の終了タイミングでなかった場合（ステップＳ３３でＮＯ）には、Ｓ２１に戻って処理を繰り返す。物体判別処理の終了タイミングとしては、例えば自車のイグニッション電源がオフになったときなどがある。
【００６７】
なお、図４のフローチャートでは、自車が前進する場合を例に挙げて説明を行ったが、自車が後退する場合には、自車の側方に存在する障害物を、第２超音波センサ２ｂ、第１超音波センサ２ａの順に検出することになるので、第１超音波センサ２ａ及び第１障害物位置特定部１１と、第２超音波センサ２ｂ及び第２障害物位置特定部１２とを入れ替えて処理を行う構成とすればよい。この場合には、第１超音波センサ２ａが請求項の第２障害物センサ、第２超音波センサ２ｂが請求項の第１障害物センサ、第１障害物位置特定部１１が請求項の第２障害物位置特定部、第２障害物位置特定部１２が請求項の第１障害物位置特定部に相当する。
【００６８】
＜実施形態１のまとめ＞
障害物が静止している場合、第１超音波センサ２ａで検出した障害物の自車位置に対する相対位置（つまり、第１障害物位置）と、第２超音波センサ２ｂで検出したその障害物の自車位置に対する相対位置（つまり、第２障害物位置）とには、自車が加減速や旋回を行っていた場合であっても、第１超音波センサ２ａで障害物を検出してから第２超音波センサ２ｂでその障害物を検出するまでの自車位置の変化に応じた分以外のずれは生じない。
【００６９】
よって、実施形態１のように、第１障害物位置特定部１１で特定した第１障害物位置から第２障害物位置特定部１２で特定した第２障害物位置へのずれが、車両位置変化特定部１３で特定した自車位置の変化分のずれに一致する場合に障害物を静止物体と判別することで、障害物が静止物体であることをより正確に判別することが可能になる。一方、一致しない場合に障害物を移動物体と判別することで、障害物が移動物体であることも、より正確に判別することが可能になる。
【００７０】
また、実施形態１では、第１障害物位置特定部１１で特定した第１障害物位置を車幅方向の位置が異なる障害物単位に区分処理部１４で区分できた場合に、第２障害物位置特定部１２で特定する第２障害物位置と車幅方向の位置が近似する第１障害物位置が区分されている障害物を対象障害物とする。そして、その第２障害物位置とその対象障害物に区分されている第１障害物位置とのずれが、車両位置変化特定部１３で特定した車両の位置の変化分のずれに一致するか否かによって、対象障害物が静止物体か移動物体かを判別することになる。よって、車幅方向の位置が近似する第２障害物位置と第１障害物位置との組み合わせ同士で、対象障害物が静止物体か移動物体かを判別することができるので、車幅方向に並んだ複数の障害物について、個別に静止物体か移動物体かを判別することが可能になる。その結果、車幅方向に並んだ複数の障害物の個々について、移動物体か静止物体かをより正確に判別することが可能になる。
【００７１】
（変形例１）
第１超音波センサ２ａ、第２超音波センサ２ｂは、略同じ向きで自車前後方向に配列されていれば、取り付け位置は自車側面に限らない。
【００７２】
（変形例２）
実施形態１では、障害物を検出する障害物センサとして第１超音波センサ２ａや第２超音波センサ２ｂといった超音波センサを用いる構成を示したが、必ずしもこれに限らない。例えば、障害物の位置を特定することを可能にするセンサであれば超音波センサ以外の障害物センサを用いる構成としてもよい。例えば、自車の側方に広がる検出範囲が自車の進行方向に沿って前後に並ぶレーザレーダ、ミリ波レーダ、ステレオカメラなどといった障害物センサを用いる構成としてもよい。
【００７３】
（変形例３）
実施形態１では、自車の位置の変化や予測軌跡を自車の操舵角及び車速から特定する構成を示したが、必ずしもこれに限らない。例えば、自車のヨーレートなどをもとに、自車の位置の変化や予測軌跡を特定する構成としてもよい。
【００７４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７５】
１  物体判別装置（車載用物体判別装置）、２ａ  第１超音波センサ（第１障害物センサ）、２ｂ  第２超音波センサ（第２障害物センサ）、１１  第１障害物位置特定部、１２  第２障害物位置特定部、１３  車両位置変化特定部、１４  区分処理部、１５  選択部、１６  判別部、１００  運転支援システム
【図１】
0006375867.tif 000002
【図２】
0006375867.tif 000003
【図３】
0006375867.tif 000004
【図４】
0006375867.tif 000005
【図５】
0006375867.tif 000006